(57)【要約】【課題】  本発明は、背中の冷却に寄与する外気を襟から排気するように促すことができる送風路付被服を提供する。【解決手段】  前身頃２と後身頃３から構成され、外気４を被服１の内側に取り入れる冷却ファン５を被服１の下部に有する送風路付被服１であって、後身頃３は、襟６の下方から裾７の方向に、所定の距離をおいて一対の余剰部８，９が形成され、冷却ファン５により被服１の内側に外気４を取り入れると、一対の余剰部８，９の間を外気４が流通する通気路１０が形成されることを特徴とする。【選択図】      図３
2020169425.tif 000002
【特許請求の範囲】
【請求項１】
前身頃と後身頃から構成され、外気を被服の内側に取り入れる冷却ファンを前記被服の下部に有する送風路付被服であって、
前記後身頃は、襟の下方から裾の方向に、所定の距離をおいて一対の余剰部が形成され、
前記冷却ファンにより前記被服の内側に外気を取り入れると、前記一対の余剰部の間を外気が流通する通気路が形成されることを特徴とする送風路付被服。
【請求項２】
前記後身頃は、中布部と、前記中布部の両側に配置される左肩布部と、右肩布部とを有して構成され、
前記中布部と前記左肩布部との縫合部に第１の前記余剰部が形成され、
前記中布部と前記右肩布部との縫合部に第２の前記余剰部が形成されることを特徴とする請求項１に記載の送風路付被服。
【請求項３】
前記第１の前記余剰部は、前記中布部または前記左肩布部のうちの少なくとも一方が他方よりも肩幅方向に張り出して形成されており、
前記第２の前記余剰部は、前記中布部または前記右肩布部のうちの少なくとも一方が他方よりも肩幅方向に張り出して形成されていることを特徴とする請求項２に記載の送風路付被服。
【請求項４】
前記後身頃は、前記中布部と前記左肩布部と前記右肩布部と、さらに、それらの下方に設けられる裾布部から構成されることを特徴とする請求項２〜３のいずれか１項に記載の送風路付被服。
【請求項５】
前記余剰部は、幅方向に伸縮可能なプリーツによって形成されることを特徴とする請求項１記載の送風路付被服。
【請求項６】
前記後身頃の内側には、前記左肩布部と前記右肩布部とを引き寄せるブリッジ片を有することを特徴とする請求項２〜４のいずれか１項に記載の送風路付被服。
【請求項７】
前記ブリッジ片は、並行する上下の帯体の間に可撓性を有するメッシュ布を掛け渡してなることを特徴とする請求項６に記載の送風路付被服。
【発明の詳細な説明】
【技術分野】
【０００１】
本発明は、外気を被服の内側に取り入れる冷却ファンを被服の下部に有する送風路付被服に関するものである。
【背景技術】
【０００２】
特許文献１には、外気を被服の内側に取り入れる冷却ファンを被服の下部に有する送風路付被服が提案されている。冷却ファンにより被服の内側に取り入れられた外気は、袖口や襟から排気される。
【先行技術文献】
【特許文献】
【０００３】
【特許文献１】特開２０１８−１４１２５９号公報
【発明の概要】
【発明が解決しようとする課題】
【０００４】
しかしながら、特許文献１では、冷却ファンにより被服の内側に取り入れられた外気は、被服と背中との間に形成された空間を通って袖口や襟から排気されるが、袖口から排気される外気は、腕の冷却には寄与するものの背中の冷却にはあまり寄与しない。このため背中の冷却に寄与する外気を襟から排気するように促す必要があった。
【０００５】
本発明は前記課題を解決するものであり、その目的とするところは、背中の冷却に寄与する外気を襟から排気するように促すことができる送風路付被服を提供するものである。
【課題を解決するための手段】
【０００６】
前記目的を達成するための本発明に係る送風路付被服の代表的な構成は、前身頃と後身頃から構成され、外気を被服の内側に取り入れる冷却ファンを前記被服の下部に有する送風路付被服であって、前記後身頃は、襟の下方から裾の方向に、所定の距離をおいて一対の余剰部が形成され、前記冷却ファンにより前記被服の内側に外気を取り入れると、前記一対の余剰部の間を外気が流通する通気路が形成されることを特徴とする。
【発明の効果】
【０００７】
本発明によれば、背中の冷却に寄与する外気を襟から排気するように促すことができる。
【図面の簡単な説明】
【０００８】
【図１】（ａ）は、本発明に係る送風路付被服の正面図である。（ｂ）は、本発明に係る送風路付被服の背面図である。
【図２】後身頃の内側に設けられた余剰部とブリッジ片とを示す図である。
【図３】一対の余剰部の間に形成された通気路を流通した外気が襟から排気される様子を示す図である。
【発明を実施するための形態】
【０００９】
図により本発明に係る送風路付被服の一実施形態を具体的に説明する。
【００１０】
図１〜図３に示す送風路付被服１は、前身頃２と後身頃３とから構成され、外気４を被服１の内側に取り入れる冷却ファン５が被服１の下部の裾布部１６に取り付けられている。裾布部１６の下端部にはギャザ１９が設けられている。
【００１１】
後身頃３は、襟６の下方から裾７の方向に、所定の距離をおいて一対の余剰部８，９が形成され、冷却ファン５により被服１の内側に外気４を取り入れると、一対の余剰部８，９の間を外気４が流通する通気路１０が形成される。尚、余剰部８，９とは、被服１を平らに折り畳んだときに後身頃３が余って重なる部分をいう。
【００１２】
後身頃３は、中布部１１と、中布部１１の両側に配置される左肩布部１２と、右肩布部１３とから構成され、中布部１１と左肩布部１２との縫合部１４に第１の余剰部８が形成され、中布部１１と右肩布部１３との縫合部１５に第２の余剰部９が形成される。
【００１３】
第１の余剰部８は、中布部１１または左肩布部１２のうちの少なくとも一方が他方よりも肩幅方向に張り出して形成されている。また、第２の余剰部９は、中布部１１または右肩布部１３のうちの少なくとも一方が他方よりも肩幅方向に張り出して形成されている。
【００１４】
即ち、第１の余剰部８は、中布部１１と左肩布部１２との間に通気路１０を形成するためのゆとりができるように、中布部１１が左肩布部１２よりも肩幅方向に張り出して形成されるか、左肩布部１２が中布部１１よりも肩幅方向に張り出して形成される。同様に、第２の余剰部９は、中布部１１と右肩布部１３との間に通気路１０を形成するためのゆとりができるように、中布部１１が右肩布部１３よりも肩幅方向に張り出して形成されるか、右肩布部１３が中布部１１よりも肩幅方向に張り出して形成される。
【００１５】
なお、余剰部８，９は、蛇腹状のプリーツのような幅方向に伸縮可能な生地により形成してもよい。この場合、余剰部８，９は、折り畳んだ際に平らに治めることができ、収納に好適な送風路付被服１とすることができる。
【００１６】
後身頃３は、中布部１１と左肩布部１２と右肩布部１３と、さらに、それらの下方に設けられる裾布部１６から構成される。裾布部１６に冷却ファン５が取り付けられている。
【００１７】
図２に示すように、後身頃３の内側には、左肩布部１２と右肩布部１３とを引き寄せるブリッジ片１７が設けられている。ブリッジ片１７は、可撓性を有する。ブリッジ片１７は、並行する上下の帯体１７ａ，１７ｂの間にメッシュ布１７ｃを掛け渡してなる。ブリッジ片１７は取付部分の中布部１１の幅より短く、両側の左肩布部１２と右肩布部１３とを引き寄せて、この間に通気路１０の形成を補助する。
【００１８】
また、装着者が運動し、上下の帯体１７a、１７ｂ間でブリッジ片１７がねじれたとしても、両者間のメッシュ布１７ｃが容易にそのねじれに追従して、装着者の運動を阻害しない。
【００１９】
冷却ファン５により送風路付被服１の内側へ外気４が流入し、送風路付被服１内の気圧が高くなると、中布部１１とその両側の左肩布部１２及び右肩布部１３との間に形成された余剰部８，９が展開して、余剰部８，９の間を外気４が流通する通気路１０が形成される。冷却ファン５により送風路付被服１の内側へ取り入れられた外気４は、この通気路１０を通って襟６に向かい、首１８の周りから排気されて、送風路付被服１内を冷却する。これにより背中の冷却に寄与する外気４を襟６から排気するように促すことができる。
【産業上の利用可能性】
【００２０】
本発明の活用例として、外気を被服の内側に取り入れる冷却ファンを被服の下部に有する送風路付被服に適用できる。
【符号の説明】
【００２１】
１…送風路付被服
２…前身頃
３…後身頃
４…外気
５…冷却ファン
６…襟
７…裾
８…第１の余剰部
９…第２の余剰部
１０…通気路
１１…中布部
１２…左肩布部
１３…右肩布部
１４…縫合部
１５…縫合部
１６…裾布部
１７…ブリッジ片
１７ａ，１７ｂ…帯体
１７ｃ…メッシュ布
１８…首
１９…ギャザ
【図１】
2020169425.tif 000003
【図２】
2020169425.tif 000004
【図３】
2020169425.tif 000005